(57)【特許請求の範囲】
【請求項１】
上部構造体に固定される上部アンカープレートと下部構造体に固定される下部アンカープレートを有し、上部アンカープレートと下部アンカープレートの間に滑り部材を備えた滑り支承が配置される支承装置であって、
上端面を上部アンカープレート下面に下端面を下部アンカープレート上面に固定され上記滑り支承と対応する高さで単一かつ円柱状のゴム材料からなる復元材を有し、
上記滑り支承は、該復元材から所定間隔を離して外周を囲繞し、該復元材の中心を中心とした同心円上に、
該上部アンカープレート下面に上端面が固定されたリング状の上部支持部材と該下部アンカープレート上面に下端面が固定されたリング状の下部支持部材を有し、
該上部支持部材の下面に備えられた平面状の滑り部材と該下部支持部材の上面に備えられた平面状の滑り部材とが滑動可能に互いに当接していることを特徴とする
支承装置。
【請求項２】
上部構造体に固定される上部アンカープレートと下部構造体に固定される下部アンカープレートを有し、上部アンカープレートと下部アンカープレートの間に滑り部材を備えた滑り支承が配置される支承装置であって、
上端面を上部アンカープレート下面に下端面を下部アンカープレート上面に固定され上記滑り支承と対応する高さで単一かつリング状のゴム材料からなる復元材を有し、
上記滑り支承は、該復元材から所定間隔を離し、該復元材に外周を囲繞され、該復元材の中心を中心とした同心円上に、
該上部アンカープレート下面に上端面が固定された円柱状の上部支持部材と該下部アンカープレート上面に下端面が固定された円柱状の下部支持部材を有し、
該上部支持部材の下面に備えられた平面状の滑り部材と該下部支持部材の上面に備えられた平面状の滑り部材とが滑動可能に互いに当接していることを特徴とする
支承装置。
【請求項３】
上記上部支持部材と上記下部支持部材の間に介設される上記滑り支承が複数層から成ることを特徴とする
請求項１又は２記載の支承装置。
【請求項４】
上記上部支持部材又は上記下部支持部材に、互いに当接する上記滑り部材同士の変位量を規制する規制部を設けたことを特徴する
請求項１記載の支承装置。
【発明の詳細な説明】
【０００１】
【発明の属する技術分野】
この発明は、例えば、免震建物、建物のエキスパンション、渡り廊下、屋根支持部、橋梁等の構造体を支承する部分に用いられる支承装置に関する。
【０００２】
【従来の技術】
従来、上述例のような構造体を支承する支承装置としては、例えば、積層ゴム支承と、滑り支承と、その積層ゴム支承と滑り支承とを複合した複合型支承とがある。
【０００３】
第１従来例の積層ゴム支承１１は、図１４に示すように、上部構造体Ａと下部構造体Ｂとの間に、ゴム材料１２と金属板１３とを積層してなる積層ゴム１４を配設し、上部構造体Ａに付与される横揺れに対応して積層ゴム１４を任意方向に繰り返し変形させ、上部構造体Ａの横揺れを軽減する構造である。
【０００４】
第２従来例の滑り支承２１は、図１５に示すように、上部構造体Ａに固定したステンレス板２２から成るすべり材料と、下部構造体Ｂに固定した滑り材料２３とを対接し、相互を任意方向に繰り返し変位させて上部構造体Ａの横揺れを軽減する構造である。
【０００５】
第３従来例の複合型支承３１は、図１６に示すように、上部構造体Ａと下部構造体Ｂとの間に、上述した積層ゴム支承１１と滑り支承２１とを上下に積層して配設し、相互の免震作用により上部構造体Ａの横揺れを軽減する構造であり、例えば、特公平７−２６４４１号の公報には、積層ゴム支承１１と滑り支承２１を複合型支承３１とは逆に配置した構成が開示されている。
【０００６】
【発明が解決しようとする課題】
しかし、第１従来例の積層ゴム支承１１は、積層ゴム１４を変形させて、上部構造体Ａに付与される横揺れを軽減する構造であるが、横揺れの軽減に要する変形量に対して積層ゴム支承１１の構成部材であるゴムの外径と高さが決定されるため、上部構造体Ａの荷重が小さく、横揺れの変形量が大きいときは大型の積層ゴム支承１１を必要とするため、設置するスペースの確保が難しくなる。また横揺れの変形量を小さく抑える手段として機械式ダンパー装置を取付ける場合には、コストアップを招くことになる。
【０００７】
さらに、上部構造体Ａの荷重及び変形時の応力により、積層ゴム１４にクリープが起きたり、他の支承とに段差が生じたりすることがあり、支承される上部構造体Ａの傾きが大きくなるため、安定性が悪くなるという問題点を有している。
【０００８】
第２従来例の滑り支承２１は、ステンレス板２２から成るすべり材料と滑り材料２３とを滑動して、上部構造体Ａに付与される横揺れを軽減する構造であるが、上部構造体Ａが静止するとき、ステンレス板２２から成るすべり材料と滑り材料２３との接触抵抗（摩擦抵抗）により、上部構造体Ａが変位した位置に停止されることになり、元の位置に復帰させることができない。
【０００９】
且つ、ステンレス板２２から成るすべり材料と滑り材料２３との中心がずれるため、上部構造体Ａの静止側に横揺れが生じても、ステンレス板２２が殆ど移動せず、静止後の横揺れを軽減することができないという問題点を有している。
【００１０】
第３従来例の複合型支承３１は、第１従来例の積層ゴム支承１１と、第２従来例の滑り支承２１とを上下に積層した構造であるので、上述した構造的な欠点を有しており、積層ゴム１４が変形したとき、滑り支承２１の水平度が損なわれやすく、滑り支承２１による免震機能が期待できない。且つ、装置全体の構造が複雑となるため、装置の設計及び設置に手間が掛かり、コストアップとなる問題点を有している。
【００１１】
この発明は上記問題に鑑み、復元材の復元力により、横揺れにより生じた変位量だけ上部構造体を移動させ、上部構造体を元の位置に復帰するので、上部構造体の位置及び姿勢が安定する。且つ、上部構造体の変位方向及び変位範囲が限定されず、全方向の横揺れを軽減する免震効果が得られると共に、上部構造体の免震設計を容易にする安価な支承装置の提供を目的とする。
【００１２】
【課題を解決するための手段】
請求項１記載の発明は、上部構造体に固定される上部アンカープレートと下部構造体に固定される下部アンカープレートを有し、上部アンカープレートと下部アンカープレートの間に滑り部材を備えた滑り支承が配置される支承装置であって、上端面を上部アンカープレート下面に下端面を下部アンカープレート上面に固定され上記滑り支承と対応する高さで単一かつ円柱状のゴム材料からなる復元材を有し、上記滑り支承は、該復元材から所定間隔を離して外周を囲繞し、該復元材の中心を中心とした同心円上に、該上部アンカープレート下面に上端面が固定されたリング状の上部支持部材と該下部アンカープレート上面に下端面が固定されたリング状の下部支持部材を有し、該上部支持部材の下面に備えられた平面状の滑り部材と該下部支持部材の上面に備えられた平面状の滑り部材とが滑動可能に互いに当接している支承装置であることを特徴とする。
【００１３】
請求項２記載の発明は、上部構造体に固定される上部アンカープレートと下部構造体に固定される下部アンカープレートを有し、上部アンカープレートと下部アンカープレートの間に滑り部材を備えた滑り支承が配置される支承装置であって、上端面を上部アンカープレート下面に下端面を下部アンカープレート上面に固定され上記滑り支承と対応する高さで単一かつリング状のゴム材料からなる復元材を有し、上記滑り支承は、該復元材から所定間隔を離し、該復元材に外周を囲繞され、該復元材の中心を中心とした同心円上に、該上部アンカープレート下面に上端面が固定された円柱状の上部支持部材と該下部アンカープレート上面に下端面が固定された円柱状の下部支持部材を有し、該上部支持部材の下面に備えられた平面状の滑り部材と該下部支持部材の上面に備えられた平面状の滑り部材とが滑動可能に互いに当接している支承装置であることを特徴とする。
【００１４】
請求項３記載の発明は、上記請求項１又は２記載の構成と併せて、上記上部支持部材と上記下部支持部材の間に介設される上記滑り支承が複数層から成る支承装置であることを特徴とする。
【００１５】
請求項４記載の発明は、上記請求項１記載の構成と併せて、上記上部支持部材又は上記下部支持部材に、互いに当接する上記滑り部材同士の変位量を規制する規制部を設けた支承装置であることを特徴とする。
【００１６】
【作用】
請求項１及び２記載の支承装置は、地震発生時に於いて、上部支持部材と下部支持部材の滑動が許容されたとき、上下の支持部材を任意方向に繰り返し変位させて、上部構造体に付与される横揺れを軽減する。上部構造体が静止するまえに、ゴム材料からなる復元材の復元力により、上下構造体の間に生じた変位量だけ上部構造体を移動させ、上部構造体を元の位置に復帰する。同時に、復元材と滑り部材を介した上下支持部材を同心円上に配置しているので上下の支持部材を相互の支承中心が略一致する状態に復帰する。
【００１７】
さらに、請求項１記載の支承装置は、上下支持部材の内側に配設した復元材を中心として、上下の支持部材を任意方向に変位させると共に、相互の中心が略一致する位置及び状態に復帰するので、上下滑り部材の対接状態が維持され、上部構造体が元の位置に復帰される。
加えて、滑り部材が任意方向に変位したとき、その内側に配設した復元材に滑り部材が当接し、予め設定した変位量に規制するので、滑り支承が分離したり、支承機能が損なわれたりするのを確実に防止することができ、機能の維持及び安定を図ることができる。
【００１８】
また、請求項２記載の支承装置は、対接する上下支持部材の外側に配設した復元材により、上下の支持部材を予め設定した変位量に規制し、相互の中心が略一致する位置及び状態に常時復帰するので、上下滑り部材の対接状態が維持され、上部構造体が元の位置に復帰される。
滑り部材が任意方向に変位したとき、その外側に配設した復元材に滑り部材が当接し、予め設定した変位量に規制されるので、滑り支承が分離したり、支承機能が損なわれたりするのを確実に防止することができ、機能の維持及び安定を図ることができる。
【００１９】
請求項３記載の支承装置は、上記請求項１又は２記載の作用と併せて、複数積層した滑り部材を同一方向又は任意方向に変位させ、全段又は複数段の滑り部材に生じた変位量だけ移動するので、上部構造体に付与される大きな横揺れが軽減される。
【００２０】
請求項４記載の支承装置は、上記請求項１記載の作用と併せて、上下の支持部材と滑り部材を、一方又は両方の支持部材に設けた規制部により所定の変位量に規制するので、滑り支承が分離するのを確実に防止することができる。
【００２１】
【発明の効果】
この発明によれば、上部構造体が静止するまえに、復元材の復元力により、生じた変位量だけ上部構造体を移動させ、上部構造体を元の位置に復帰させるので、上部構造体の位置及び姿勢が安定する。且つ、上下の支持部材を、相互の中心が略一致する位置及び状態に復帰させるので、従来例のように支持部材の変位方向及び変位範囲が限定されず、全方向（水平方向）に対する変位が許容されるため、静止後に於いて、上部構造体に付与される全方向の横揺れを軽減する免震効果が確実に得られる。
【００２２】
しかも、上部構造体の荷重が対接する上下支持部材に付与されるので、復元材には荷重が殆ど付与されず、従来例のように復元材にクリープが生じたり、その復元力が低下したりするのを確実に防止することができ、滑り部材による免震機能及び復元材による復元機能が安定して得られる。
【００２３】
さらに、内側に配設した復元材を中心として上下の支持部材を予め設定した変位量に規制し、又は、外側に配設した復元材により上下の支持部材を予め設定した変位量に規制するので、相互の中心が略一致する位置及び状態に常時復帰され、上下の支持部材が分離したり、支承機能が損なわれたりするのを確実に防止することができ、機能の維持及び安定を図ることができる。
【００２４】
さらにまた、複数積層した滑り部材を同一方向又は任意方向に変位して、複数の滑り部材に生じた変位量だけ移動するので、第２従来例のように一つの滑り支承を変位するよりも、その変位量が大きく、大きな横揺れを免震する効果が得られる。且つ、複数の滑り部材は、任意の方向及び任意の移動量だけ変位するので、上部構造体に付与される横揺れが大幅に軽減され、免震機能が向上する。
【００２５】
さらにまた、上下の支持部材を、一方又は両方の支持部材に設けた支承規制部により所定の変位量に規制するので、免震時に於いて、滑り支承が分離したり、支承機能が損なわれたりするのを確実に防止することができ、免震機能が安定して得られる。
【００２６】
【実施例】
この発明の一実施例を以下図面に基づいて詳述する。
【００２７】
図面はリング状に形成し同芯状に配置した上部支持部材と下部支持部材の内周側中心部に復元材として柱状弾性部材を配設した第１実施例の支承装置を示し、図１、図２、図３に於いて、この支承装置１は、上部構造体Ａの下面と下部構造体Ｂの上面に、それぞれ上部アンカープレート７ａと下部アンカープレート７ｂが固定され、各々の下面と上面に、リング形状に形成した上部支持部材６ａの上端面と下部支持部材６ｂの下端面が固定され、上部支持部材６ａの下端面と下部支持部材６ｂの上端面は、滑り支承２を構成する滑り部材３，４を介して摺動可能に当接し、その上部支持部材６ａと下部支持部材６ｂの内周側中心部に、上部構造体Ａを元の位置に復帰するのに必要な復元力を有する復元材５を配設している。
【００２８】
滑り支承２は、金属製の滑り部材３（例えば鏡面仕上げされたステンレス板）と、合成樹脂製の滑り部材４（例えば四ふっ化エチレン樹脂）とで構成され、その滑り部材３，４を互いに当接して、上部支持部材６ａの下端面及び下部支持部材６ｂの上端面に固定されている。
【００２９】
上部支持部材６ａと下部支持部材６ｂは、上部構造体Ａ及び下部構造体Ｂの支承部分に対して各々上部アンカープレート７ａと下部アンカープレート７ｂを介して固定され、上部構造体Ａ側に固定した上部支持部材６ａの支承面には、滑り板として金属製の滑り部材３（例えば、鏡面仕上げしたステンレス板の他に、スチール板又はその他の滑り部材４の低摩擦係数を維持できる材料）を固定している。
【００３０】
その滑り部材３（ステンレス板）の他には、例えば、鋼材に、硬質クロムメッキ処理、モリブデン処理等を施した材料又はその他の低摩擦係数を有する材料が好ましい。
【００３１】
下部構造体Ｂに固定した下部支持部材６ｂの支承面には、滑り材料として合成樹脂製の滑り部材４（例えば、四ふっ化エチレン樹脂の他に、低摩擦係数を有する樹脂材料又はその材料が好ましい）を固定している。
【００３２】
上部支持部材６ａ及び下部支持部材６ｂは、復元材５の外周面が囲繞される大きさ及び形状に形成され、その内周側中心部には、静止状態の滑り支承２と対応する高さであって、内側中心部に対して収納可能な大きさ及び形状に形成した復元材５（例えばゴム材料）を固定している。
【００３３】
復元材５の上下端面は、各々上部構造体Ａ及び下部構造体Ｂに取付けられた上部アンカープレート７ａの上端面と下部アンカープレート７ｂの下端面の中央部支承面に対して一体的に固定している。
【００３４】
その復元材５は、例えば、柱状の弾性体すなわちゴム材料から成る柱状弾性体や金属板を平行に配置した柱状ゴム材料、鋼製のコイルバネや鋼製板バネ又はその他の上部構造体Ａを元の位置に復帰するのに必要な復元力が得られる水平バネのようなものがよい。なお、復元力は、滑り部材３，４間に生じる接触抵抗（摩擦抵抗）と、復元材５自体の復元力とを任意に変更して調節するものとする。
【００３５】
図示実施例は上記の如く構成するものにして、以下、支承装置１による免震動作を説明する。
地震発生時に於いて、図１、図２に示すように、滑り支承２を構成する滑り部材３，４を、その滑動が許容されるまで一体的に移動して、上部構造体Ａに地震変位を伝えるため、上部構造体Ａと下部構造体Ｂとが同一方向に変位される。
【００３６】
滑り支承２を構成する滑り部材３，４の滑動が許容されたとき、復元材５を中心として、上下の支持部材６ａ，６ｂを任意方向に繰り返し変位させ、水平方向の応力（横揺れ）を減衰するので、上部構造体Ａに付与される横揺れが軽減される。上部支持部材６ａが任意方向に変位したとき、その内側に配設した復元材５に上部支持部材６ａ及び下部支持部材６ｂが当接し、予め設定した変位量Ｗに規制される。
【００３７】
上部構造体Ａが静止するまえに、復元材５の復元力により、滑り部材３，４の間に生じた変位量Ｗだけ上部構造体Ａを移動させ、上部構造体Ａを元の位置まで復帰させる。同時、滑り部材３を、滑り部材４の中心に対して略一致する状態に復帰させる。
【００３８】
以上のように、復元材５の復元力により、生じた変位量Ｗだけ上部構造体Ａを移動させ、上部構造体Ａを元の位置に復帰させるので、上部構造体Ａの位置及び姿勢が安定する。且つ、滑り部材３，４を、相互の中心が略一致する位置及び状態に復帰するので、従来例のように支持部材の変位方向及び変位範囲が限定されず、全方向（水平方向）に対する変位が許容されるため、静止後に於いて、上部構造体Ａに付与される全方向の横揺れを軽減する免震効果が確実に得られる。
【００３９】
しかも、上部構造体Ａの荷重が上下支持部材６ａ，６ｂに付与されているので、復元材５には荷重が殆ど付与されず、従来例のように復元材５にクリープが生じたり、その復元力が低下したりするのを確実に防止することができ、滑り支承２による免震機能及び復元材５による復元機能が安定して得られる。
【００４０】
さらに、復元材５を中心として、上下の滑り部材３，４を任意方向に変位すると共に、相互の中心が略一致する位置及び状態に復帰されると共に、滑り部材３が任意方向に変位したとき、その内側に配設した復元材５に滑り部材３が当接し、予め設定した変位量Ｗに規制するので、滑り部材３，４が分離したり、支承機能が損なわれたりするのを確実に防止することができ、機能の維持及び安定を図ることができる。
【００４１】
図４、図５、図６は、上下支持部材６ａ，６ｂの外側に、その外周面が囲繞される大きさ及び形状に形成したリング状の復元材５を配設した第２実施例の支承装置１を示し、上述と同様に、滑り支承２を構成する滑り部材３，４の滑動が許容されたとき、滑り部材３を任意方向に繰り返し変位させて、上部構造体Ａに付与される横揺れを軽減する。
【００４２】
滑り部材３が任意方向に変位したとき、その外側に配設した復元材５に滑り部材３及び上部支持部材６ａと、滑り部材４及び下部支持部材６ｂが当接し、予め設定した変位量Ｗに規制される。且つ、上部構造体Ａが静止するまえに、復元材５の復元力により、上部構造体Ａを元の位置に復帰させるので、上部構造体Ａの位置及び姿勢が安定し、第１実施例と同等の作用効果を奏することができる。
【００４３】
また、図７に示すように、上下支持部材６ａ，６ｂの外側に、その支持部材６ａ，６ｂを中心として複数の復元材５を円周方向に対して所定間隔に隔てて配設しても、上述と同等の作用効果を奏することができる。
【００４４】
図８、図９は、滑り材３ａ，４ａを中間支持部材６ｃの上下端面に固定して構成される滑り部材３，４を上下に複数積層し、その内周側中心部に復元材５を配設した第３実施例の支承装置１を示し、滑り部材３，４を摺動可能に対接して滑り支承２を構成している。
【００４５】
地震発生時に於いて、滑り支承２を構成する滑り部材３，４の滑動が許容されたとき、複数の支持部材６ａ，６ｂ，６ｃ又は滑り部材３，４を同一方向又は任意方向に繰り返し変位させ、任意の方向及び任意の移動量だけ変位するので、上部構造体Ａに付与される横揺れが大幅に軽減され、免震機能が向上する。
【００４６】
同時に、複数の滑り部材３，４に生じた変位量Ｗだけ移動するので、第２従来例のように一つの滑り支承を変位するよりも、その変位量Ｗが大きく、大きな横揺れを免震する効果が得られる。
【００４７】
且つ、全段又は任意段の滑り部材３，４が復元材５に当接し、予め設定した変位量Ｗに規制される。上部構造体Ａが静止するまえに、復元材５の復元力により、複数の滑り支承２に生じた変位量Ｗだけ上部構造体Ａを移動させ、上部構造体Ａを元の位置に復帰するので、上部構造体Ａの位置及び姿勢が安定し、第１実施例と同等の作用効果を奏することができる。
【００４８】
また、先述した第２実施例のように、複数積層した滑り支承２の外側に、その外周面が囲繞される大きさ及び形状に形成したリング状の復元材５を配設するもよく、上述と同等の作用効果を奏することができる。
【００４９】
図１０、図１１は、上段側滑り部材３の外周縁部と対応する上部アンカープレート７ａの下面側周縁部に、その滑り部材３の変位量Ｗを規制する規制部８を連続して形成した第４実施例の支承装置を示し、滑り支承２を構成する滑り部材３，４の滑動が許容されたとき、滑り部材３を任意方向に繰り返し変位させて、上部構造体Ａに付与される横揺れを軽減する。
【００５０】
一方に滑り部材３が移動したとき、上部アンカープレート７ａに形成した規制部８が、その下段側に配設した滑り部材４及び支承部材６の外周縁部に当接し、予め設定した変位量Ｗに規制されるため、滑り部材３，４が分離したり、支承機能が損なわれたりするのを確実に防止することができる。
【００５１】
且つ、上部構造体Ａが静止するまえに、復元材５の復元力により、滑り部材３，４に生じた変位量Ｗだけ上部構造体Ａを移動させ、上部構造体Ａを元の位置に復帰するので、第１実施例と同等の作用効果を奏することができる。
【００５２】
なお、上述した規制部８を部分的に形成してもよく、また、滑り部材４の外周縁部と対応する支持部材７の上面側周縁部に設けてもよく、上述と同等の作用効果を奏することができる。
【００５３】
図１２、図１３は、複数積層した滑り支承２に於いて、上段側に配設した滑り部材３，４の外周縁部と対応する上部支持部材６ａ及び中間支持部材６ｃの下面側周縁部に、その滑り部材３，４の変位量Ｗを規制する規制部８を連続して形成した第５実施例の支承装置１を示し、滑り部材３，４を摺動可能に対接した状態に配置している。
【００５４】
滑り支承２を構成する滑り部材３，４の滑動が許容されたとき、複数の滑り部材３，４を同一方向又は任意方向に変位させ、上段側に配設した上部支持部材６ａ及び中間支持部材６ｃの規制部８が、その下段側に配設した中間支持部材６ｃの外周縁部に当接して、全段又は任意段の滑り部材３，４を任意方向に変位すると共に、複数の滑り部材３，４を、予め設定した変位量Ｗに順次規制（下段側から）する。
【００５５】
且つ、上部構造体Ａが静止するまえに、復元材５の復元力により、複数の滑り支承２に生じた変位量Ｗだけ上部構造体Ａを移動させ、上部構造体Ａを元の位置に復帰するので、第３及び第４実施例と同等の作用効果を奏することができる。
【００５６】
なお、上述した規制部８を部分的に形成してもよく、また、下段側に配置した中間支持部材６ｃの上面側周縁部に設けてもよく、上述と同等の作用効果を奏することができる。
【００５７】
また、第４及び第５実施例を構成する滑り支承２の外側に、リング状の復元材５又は複数の復元材５を配設してもよく、第２実施例と同等の作用効果を奏することができる。
【００５８】
なお、この発明は、上述の実施例の構成のみに限定されるものではない。
【００５９】
また、上下の滑り部材３，４を構成する上下段の中間支持部材６ｃ…に対してその外径上下反対に形成し対接させてもよく、上述した実施例と同等の作用効果が得られる。
【図面の簡単な説明】
【図１】  第１実施例の支承装置を示す側面図。
【図２】  復元材による上部構造体の復帰動作を示す側面図。
【図３】  滑り支承の内側に復元材を配設した状態を示す平面図。
【図４】  第２実施例の支承装置を示す側面図。
【図５】  復元材による上部構造体の復帰動作を示す側面図。
【図６】  滑り支承の外側に復元材を配設した状態を示す平面図。
【図７】  滑り支承の外側に復元材を複数配設した状態を示す平面図。
【図８】  第３実施例の支承装置を示す側面図。
【図９】  復元材による上部構造体の復帰動作を示す側面図。
【図１０】  第４実施例の支承装置を示す側面図。
【図１１】  復元材による上部構造体の復帰動作を示す側面図。
【図１２】  第５実施例の支承装置を示す側面図。
【図１３】  復元材による上部構造体の復帰動作を示す側面図。
【図１４】  第１従来例の支承装置を示す側面図。
【図１５】  第２従来例の支承装置を示す側面図。
【図１６】  第３従来例の支承装置を示す側面図。
【符号の説明】
Ａ…上部構造体
Ｂ…下部構造体
Ｗ…変位量
１…支承装置
２…滑り支承
３，４…滑り部材
５…復元材
６ａ，６ｂ，６ｃ…支持部材
７ａ，７ｂ…アンカープレート
８…規制部
【図１】
0004118387.tif 000002
【図２】
0004118387.tif 000003
【図３】
0004118387.tif 000004
【図４】
0004118387.tif 000005
【図５】
0004118387.tif 000006
【図６】
0004118387.tif 000007
【図７】
0004118387.tif 000008
【図８】
0004118387.tif 000009
【図９】
0004118387.tif 000010
【図１０】
0004118387.tif 000011
【図１１】
0004118387.tif 000012
【図１２】
0004118387.tif 000013
【図１３】
0004118387.tif 000014
【図１４】
0004118387.tif 000015
【図１５】
0004118387.tif 000016
【図１６】
0004118387.tif 000017